(57)【要約】  薬剤散布方法は、薬剤散布領域内（ハウス本体（１０）内）を予め霧が立ち込めた状態にする第一工程（Ｓ１０）と、第一工程（Ｓ１０）の後、霧が立ち込めた状態で薬剤を薬剤散布領域内に散布する第二工程（Ｓ２０）と、を含む。
2019123939.tif 000002
【特許請求の範囲】
【請求項１】
薬剤散布領域内を予め霧が立ち込めた状態にする第一工程と、
前記第一工程の後、霧が立ち込めた状態で薬剤を前記薬剤散布領域内に散布する第二工程と、を含む薬剤散布方法。
【請求項２】
前記薬剤散布領域は、農業用ハウス内の空間である、請求項１記載の薬剤散布方法。
【請求項３】
前記霧が立ち込めた状態は、視程が１０ｍ以下である、請求項１又は２記載の薬剤散布方法。
【請求項４】
前記霧が立ち込めた状態は、視程が３ｍ以下である、請求項１又は２記載の薬剤散布方法。
【請求項５】
前記第一工程では、粒径が１０μｍ以上１００μｍ以下のミストにより霧が立ち込めた状態にする、請求項１乃至４の何れか１項に記載の薬剤散布方法。
【請求項６】
前記第一工程では、飽差にてミストの噴霧を調整する、請求項１乃至５の何れか１項に記載の薬剤散布方法。
【発明の詳細な説明】
【技術分野】
【０００１】
本発明は、薬剤散布方法に関し、特に農業用ハウスにおける薬剤散布方法に関する。
【背景技術】
【０００２】
農作物等の植物体を育成する環境を制御するために、ビニールハウス又はパイプハウス等と呼ばれる小屋（ハウス本体）によって構成された農業用ハウスが用いられている。この種の農業用ハウスでは、太陽光の入射を可能にして外部環境を取り込みながらも、温度、湿度又は照度等の農業用ハウスの内部環境を管理することによって、植物体の育成に適した育成環境を構築している。【０００３】
農業用ハウスは、植物体を栽培する空間が閉鎖空間であることから、いったん病害が発生すると農業用ハウス内全体に病害が蔓延し、植物体が全滅するおそれがある。そこで、従来、農業用ハウスでは、病害を防除するために薬剤を散布することが行われている（例えば特許文献１）。
【先行技術文献】
【特許文献】
【０００４】
【特許文献１】特開２０１１−１０４４９７号公報
【発明の概要】
【発明が解決しようとする課題】
【０００５】
しかしながら、農業用ハウスにおいて薬剤を散布する際、適切な量の薬剤を散布することが難しく、薬剤による十分な効果を上げるために、必要以上の量で薬剤を散布してしまうことが多い。このため、過剰な量の薬剤を散布することになり、作業者の人体に悪影響を及ぼしたり環境に負荷をかけてしまったりする。【０００６】
また、薬剤は、植物体の葉裏及び成長点付近に付着させることが望ましいが、繁茂している植物体の葉裏及び成長点付近に薬剤を付着させるには、作業者が人為的に種々のノズルを動かすことで、薬剤を散布したい箇所に薬剤が付着するように局所的に薬剤を散布する必要がある。【０００７】
本発明は、このような課題を解決するためになされたものであり、できるだけ少ない薬剤量で十分な薬剤効果を上げることができ、かつ、繁茂している植物体の葉裏及び成長点付近に簡便に薬剤を付着させることができる薬剤散布方法を提供することを目的とする。
【課題を解決するための手段】
【０００８】
本発明に係る薬剤散布方法の一態様は、薬剤散布領域内を予め霧が立ち込めた状態にする第一工程と、前記第一工程の後、霧が立ち込めた状態で薬剤を前記薬剤散布領域内に散布する第二工程と、を含む。
【発明の効果】
【０００９】
できるだけ少ない薬剤量で十分な薬剤効果を上げることができ、かつ、繁茂している植物体の葉裏及び成長点付近に簡便に薬剤を付着させることができる。
【図面の簡単な説明】
【００１０】
【図１】図１は、実施の形態に係る農業用ハウスの外観を模式的に示す斜視図である。
【図２】図２は、実施の形態に係る農業用ハウスを模式的に示す概略水平断面図である。
【図３】図３は、実施の形態に係る農業用ハウスを模式的に示す概略横断面図である。
【図４】図４は、実施の形態に係る農業用ハウス内の部分拡大図である。
【図５】図５は、実施の形態に係る薬剤散布方法のフローチャートである。
【図６】図６は、実施の形態に係る薬剤散布方法における第一工程を説明するための図である。
【図７】図７は、実施の形態に係る薬剤散布方法における第二工程を説明するための図である。
【発明を実施するための形態】
【００１１】
以下、本発明の実施の形態について説明する。なお、以下に説明する実施の形態は、いずれも本発明の一具体例を示すものである。したがって、以下の実施の形態で示される、数値、構成要素、構成要素の配置位置及び接続形態、並びに、工程（ステップ）及び工程の順序等は、一例であって本発明を限定する主旨ではない。よって、以下の実施の形態における構成要素のうち、本発明の最上位概念を示す独立請求項に記載されていない構成要素については、任意の構成要素として説明される。
【００１２】
また、各図は、模式図であり、必ずしも厳密に図示されたものではない。なお、各図において、実質的に同一の構成に対しては同一の符号を付しており、重複する説明は省略又は簡略化する。
【００１３】
（実施の形態）
まず、実施の形態に係る薬剤散布方法を説明する前に、薬剤散布方法が用いられる農業用ハウス１の構成について、図１〜図４を用いて説明する。図１は、実施の形態に係る農業用ハウス１の外観を模式的に示す斜視図である。図２及び図３は、同農業用ハウス１を模式的に示す概略水平断面図及び概略横断面図である。図４は、同農業用ハウス１内の部分拡大図である。なお、図１では、植物体２を図示していない。
【００１４】
図１〜図４に示すように、農業用ハウス１は、植物体２を育成するための植物育成用設備であり、植物体２を栽培する空間を囲むように構成された外郭として、ハウス本体１０を有する。本実施の形態において、ハウス本体１０は、閉鎖空間であり、通気口１３等の開口を全て閉じれば密閉空間にすることができる。
【００１５】
図１に示すように、ハウス本体１０は、フレーム１１と、フレーム１１に支持された被覆体１２とを有する。ハウス本体１０の上面視形状は、縦横比が大きい矩形状である。一例として、ハウス本体１０の寸法は、上面視において、長手方向の長さが数十ｍ程度（例えば５０ｍ）で、短手方向の長さが数ｍ程度（例えば５ｍ）である。また、ハウス本体１０は、長手方向に交差する断面において上に凸となる形状に構成されている。
【００１６】
フレーム１１は、フレーム構造材である複数のパイプが組み合わされて構成されている。具体的には、フレーム１１は、アーチ状の複数の第１パイプ１１ａ（主フレーム）と、複数の第１パイプ１１ａを連結する複数の第２パイプ１１ｂ（連結フレーム）とを有する。第１パイプ１１ａ及び第２パイプ１１ｂは、金属製パイプであり、例えばアルミニウム材又は鋼材等によって構成されている。なお、第１パイプ１１ａ及び第２パイプ１１ｂは、金属製に限らず、樹脂製又は木製であってもよい。
【００１７】
被覆体１２は、フレーム１１の全体を覆うようにフレーム１１に架設されている。被覆体１２は、ガラス板又は合成樹脂フィルム等の透光性部材によって構成されている。なお、被覆体１２は、透明ガラス又は透明樹脂フィルム等の透明部材によって構成されているとよい。
【００１８】
被覆体１２の一部には、通気のための開口である通気口１３、及び、人がハウス本体１０に出入りするための開口である出入口１４等の開口が設けられている。通気口１３は、例えば、ハウス本体１０の側壁又は天井等に設けられる。また、出入口１４は、ハウス本体１０の妻壁に設けられている。
【００１９】
また、ハウス本体１０には、通気口１３を開閉するための窓１５が設けられている。窓１５は、通気口１３を覆う閉位置と通気口１３を開放する開位置との間で移動可能な構造を有する。具体的には、窓１５は、透明なシートを軸に巻き付けた構造を有し、シートを軸に巻き付ける量に応じて通気口１３の開度が調節可能となっている。つまり、窓１５及び通気口１３は、ハウス本体１０の内外の空気の換気を行うための換気窓である。窓１５は、シートの上端部がハウス本体１０に取り付けられており、ハウス本体１０にシートを取り付けた部位よりも軸が下に位置するように配置される。
【００２０】
また、ハウス本体１０には、ハウス本体１０に入射する日射を調節するための遮光カーテン１６も設けられている。遮光カーテン１６は、ハウス本体１０内に入射する外光（例えば太陽光）を減光させる位置と、ハウス本体１０内に入射する外光を減光さない位置との間で移動可能となっている。
【００２１】
農業用ハウス１では、植物体２として農作物が栽培される。植物体２は、例えば、果菜類、葉菜類、根菜類、豆類、果物又は花卉等である。果菜類は、一例として、トマト、キュウリ、ナス等である。葉菜類は、例えば、ホウレンソウ、コマツナ、レタス、キャベツ、ハクサイ等である。根菜類は、例えば、ダイコン、ニンジン、ゴボウ、ジャガイモ、サツマイモ、レンコン、サトイモ等である。
【００２２】
本実施の形態では、植物体２として果菜類、特にトマトを栽培する例について説明する。したがって、図２〜図４では、植物体２として、トマトの茎及び葉等が図示されている。
【００２３】
ハウス本体１０に囲まれている地面には、植物体２を栽培するために周囲に対して土を盛り上げた複数（本実施の形態では２つ）の畝３が設けられている。また、隣り合う畝３の間は、ユーザの通り道及び作業スペースとなる通路４になっている。
【００２４】
複数の畝３の各々には、複数の植物体２が概ね等間隔に植えられる。植物体２の畝３への植え方としては、一条植え又は二条植えが挙げられるが、それ以外の植え方であってもよい。なお、１つのハウス本体１０内の畝３には、１種類の植物体２が植えられるが、複数種類の植物体２が植えられていてもよい。
【００２５】
図２〜図４に示すように、農業用ハウス１は、ミスト噴霧部１００と、パイプ２００と、タンク３００と、温度計測部４００と、制御部５００とを備える。ミスト噴霧部１００、パイプ２００、タンク３００、温度計測部４００及び制御部５００は、ハウス本体１０内に設置される。
【００２６】
ミスト噴霧部１００は、ミストをハウス本体１０内に噴霧するミスト噴霧器である。具体的には、ミスト噴霧部１００は、ミストを発生して外部に噴出するノズルである。
【００２７】
ミスト噴霧部１００は、ハウス本体１０内に複数設置されている。複数のミスト噴霧部１００の各々は、パイプ２００に接続されており、各ミスト噴霧部１００には、パイプ２００を通して液体が供給される。複数のミスト噴霧部１００は、パイプ２００を通して供給された液体を微粒子化してミストを発生させ、発生させたミストを外部に噴出させる。図４に示すように、各ミスト噴霧部１００は、発生させたミストを外部に噴出するための１つ以上の吹出口を有する。吹出口１１０から噴出するミストは、吹出口１１０から広がるように吹き出される。
【００２８】
各ミスト噴霧部１００は、４つの吹出口１１０を有する。具体的に、各ミスト噴霧部１００は、４つの枝管１２０を有している。４つの吹出口１１０は、４つの枝管１２０の先端部に設けられている。各ミスト噴霧部１００において、４つの枝管１２０は、水平面内で９０度間隔で配置されている。また、各枝管１２０における吹出口１１０は、水平方向を向いている。なお、吹出口１１０は、水平方向を向いている場合に限らず、鉛直上方又は鉛直下方に向いていてもよい。
【００２９】
本実施の形態において、ミスト噴霧部１００は、植物体２にミストを噴霧する。つまり、ミスト噴霧部１００は、単にハウス本体１０内の空間にミストを導入するだけではなく、植物体２にミストを直接噴霧する。したがって、ミスト噴霧部１００は、植物体２よりも高い位置でミストを発生させるように配置されているとよい。本実施の形態において、ミスト噴霧部１００は、植物体２の上方、つまり畝３の上方に配置されているが、通路４の上方に配置されていてもよい。一例として、植物体２を栽培する地面（畝３の上面）からミスト噴霧部１００までの高さは、植物体２の種類の背丈に応じて定められるが、概ね５０ｃｍ〜３００ｃｍである。
【００３０】
また、本実施の形態において、ミスト噴霧部１００には、パイプ２００を通して薬液又は水が供給される。したがって、ミスト噴霧部１００は、ミストとして、薬剤を含む薬液を微粒子化した薬剤ミスト、又は、水を微粒子化した水ミストを噴霧する。薬液に含まれる薬剤は、例えば、植物体２の病害の防除に用いられる病害防除用の薬剤であってもよいし、植物体２の害虫の防除に用いられる害虫防除用の薬剤であってもよいし、その両方が含まれる薬剤であってもよい。なお、薬剤は、病害虫の防除に限るものではなく、植物体２の成長を促す育成用の薬剤等のその他の薬剤であってもよい。
【００３１】
パイプ２００は、タンク３００からミスト噴霧部１００に液体を供給する流路を構成している。本実施の形態では、ミスト噴霧部１００には、薬液又は水が供給される。ミスト噴霧部１００に供給される薬液は、植物体２に有用な薬剤を含む水溶液である。また、ミスト噴霧部１００に供給される水は、例えば、雨水や河川水、井戸水等を原水とする水、又は水道水である。
【００３２】
パイプ２００は、畝３の上方を畝３の長手方向に沿って直線状に通過するように配管されている。本実施の形態において、パイプ２００は、ロの字状に配管されており、２本の畝３の各々の上方を通過する２本の主管２００ａと、２本の主管の端部同士を連結する連結管２００ｂとを有する。主管２００ａには、複数個のミスト噴霧部１００が等間隔で取り付けられている。なお、パイプ２００の配管のレイアウトは、一筆書きのロの字状に限らず、タンク３００側の連結管２００ｂ（ヘッダ）から各畝３に枝分かれして分岐するように構成されていてもよい。
【００３３】
また、タンク３００からミスト噴霧部１００に液体を供給する流路には、ポンプ２１０とバルブ２２０とが設けられている。したがって、パイプ２００は、ポンプ２１０に接続されている。
【００３４】
ポンプ２１０は、例えば昇圧ポンプであり、タンク３００に蓄えられた液体（薬液又は水）に水圧をかけてパイプ２００に供給する。つまり、ポンプ２１０は、タンク３００の液体を加圧してパイプ２００に供給する。これにより、加圧された液体がパイプ２００に供給されることになる。そして、パイプ２００に取り付けられたミスト噴霧部１００に、加圧された液体が供給されると、ミスト噴霧部１００からミストが噴霧される。なお、ポンプ２１０によって液体の圧力を調整することで、ミスト噴霧部１００から噴霧するミストの噴霧圧力を調整することができる。
【００３５】
また、バルブ２２０は、ポンプ２１０とパイプ２００との間に配置されており、タンク３００からミスト噴霧部１００に供給する液体の流量を調整する。具体的には、バルブ２２０の開度を調節することによって、ミスト噴霧部１００に供給する液体の流量を調整することができる。なお、バルブ２２０の開度を調整するのではなく、ポンプ２１０による液体の圧力を調整することで、結果として、ミスト噴霧部１００に供給する液体の流量を調整することもできる。
【００３６】
また、バルブ２２０の開度を調節するのではなく、ポンプ２１０によって液体の圧力を調整することで、結果的に、ミスト噴霧部１００に供給する液体の流量を調整することもできる。
【００３７】
なお、バルブ２２０に圧力制御弁を設けることにより、バルブ２２０によってミスト噴霧部１００に供給する液体の圧力を調整することができ、結果的に、バルブ２２０によってミストの噴霧圧力を調整することもできる。
【００３８】
タンク３００は、ミスト噴霧部１００に供給される液体が蓄えられた容器である。本実施の形態では、タンク３００には、薬液又は水が蓄えられている。具体的には、タンク３００は、薬液が蓄えられた容器と、水が蓄えられた容器とを含む。
【００３９】
温度計測部４００は、ハウス本体１０内の乾球温度及び湿球温度を計測する。温度計測部４００で計測された乾球温度及び湿球温度は、制御部５００に出力される。
【００４０】
具体的には、温度計測部４００は、乾球センサ４１０と、湿球センサ４２０と、温度出力部４３０とを備える。乾球センサ４１０は、ハウス本体１０内の空気の乾球温度を計測する。湿球センサ４２０は、ハウス本体１０内の空気の湿球温度を計測する。温度出力部４３０は、乾球センサ４１０で計測した乾球温度と湿球センサ４２０で計測した湿球温度とを制御部５００に出力する。
【００４１】
湿球センサ４２０は、温度検出部４２１と、繊維部４２２と、水タンク４２３とによって構成されている。湿球センサ４２０は、水タンク４２３に浸した繊維部４２２を通じて水が吸い上げられて温度検出部４２１を湿潤状態に保つことで湿球温度を計測する。
【００４２】
温度出力部４３０は、温度計測部４００で計測された乾球温度及び湿球温度を制御部５００に出力する。具体的には、温度出力部４３０は、無線又は有線により制御部５００と接続されており、乾球センサ４１０で計測された乾球温度と湿球センサ４２０で計測された湿球温度とのデータが制御部５００に出力される。なお、乾球センサ４１０よる乾球温度の計測及び湿球センサ４２０による湿球温度の計測は、薬剤を散布するときに行うが、これに限らず、常時行っていてもよい。
【００４３】
乾球センサ４１０及び湿球センサ４２０によって計測された乾球温度及び湿球温度のデータは、メモリに記憶されていてもよい。この場合、乾球温度及び湿球温度のデータは、温度計測部４００及び制御部５００に内蔵されたメモリに記憶されていてもよいし、農業用ハウス１が備えるその他のメモリに記憶されていてもよい。
【００４４】
制御部５００は、ミスト噴霧部１００の制御を行う。具体的には、制御部５００は、温度計測部４００で計測した乾球温度及び湿球温度に基づいて飽差を算出し、この飽差をもとに、ミスト噴霧部１００による水ミストの噴霧についての開始と停止とを制御する。さらに、制御部５００は、ミスト噴霧部１００による薬液ミストの噴霧についての開始と停止とを制御する。具体的には、制御部５００は、ミスト噴霧部１００による水ミスト又は薬液ミストの噴霧を開始又は停止させる信号を出力する。
【００４５】
なお、制御部５００は、例えば、プログラムに従って動作するプロセッサ又はこのようなプロセッサを備えるコンピュータ等によって構成される。
【００４６】
次に、本実施の形態における薬剤散布方法について、図２〜図４を参照しながら、図５〜図７を用いて説明する。図５は、実施の形態に係る薬剤散布方法のフローチャートである。図６は、実施の形態に係る薬剤散布方法における第一工程を説明するための図である。図７は、実施の形態に係る薬剤散布方法における第二工程を説明するための図である。
【００４７】
図５に示すように、本実施の形態における薬剤散布方法は、薬剤散布領域内を予め霧が立ち込めた状態にする第一工程Ｓ１０と、第一工程Ｓ１０の後、霧が立ち込めた状態で薬剤を薬剤散布領域内に散布する第二工程Ｓ２０とを含む。つまり、薬剤を散布する前の前処理として、薬剤散布領域内を霧が立ち込めた状態にする処理を行っている。
【００４８】
薬剤散布領域は、薬剤を散布する領域であって、薬剤を付着させる植物体２が栽培されている空間である。本実施の形態において、薬剤散布領域は、農業用ハウス１内の空間である。具体的には、薬剤散布領域は、図２及び図３に示すように、ハウス本体１０内の空間である。
【００４９】
以下、本実施の形態における薬剤散布方法の詳細について説明する。
【００５０】
農業用ハウス１において、薬剤を散布する際、乾球センサ４１０及び湿球センサ４２０によってハウス本体１０内の乾球温度と湿球温度とを計測する。乾球温度及び湿球温度の計測は、薬剤を散布している間、継続して行っている。この場合、乾球温度及び湿球温度の計測は、常時連続的に行っていてもよいし、数秒毎又は数分毎に定期的に行ってもよい。乾球センサ４１０及び湿球センサ４２０によって計測された乾球温度及び湿球温度は、温度出力部４３０から制御部５００にリアルタイムで出力される。
【００５１】
乾球センサ４１０によって計測された乾球温度及び湿球センサ４２０によって計測された湿球温度は、温度出力部４３０から制御部５００に出力される。制御部５００では、乾球温度と湿球温度との乾湿球の温度差から相対湿度及び飽差を算出する。相対湿度及び飽差の算出は、乾球温度及び湿球温度の計測にあわせて随時行っている。
【００５２】
そして、制御部５００は、算出した飽差をもとに、飽差が０になるまで水ミストの噴霧を開始する信号（水ミスト噴霧開始信号）を出力し、飽差が０になってから一定時間後に水ミストの噴霧を停止する信号（水ミスト噴霧停止信号）を出力する。これにより、図７に示すように、パイプ２００を通ってミスト噴霧部１００に水が供給されて、ミスト噴霧部１００から水ミストが噴霧する。
【００５３】
具体的には、制御部５００から水ミスト噴霧開始信号が出力されると、ポンプ２１０及びバルブ２２０等が制御されて、ミスト噴霧開始信号に基づいて、タンク３００からパイプ２００に加圧した水が供給される。一例として、ポンプ２１０及びバルブ２２０等によって水圧０．１〜０．８ＭＰａの水が供給される。これにより、各ミスト噴霧部１００からは、例えば粒径が１０μｍ以上１００μｍ以下の水ミストが噴霧する。
【００５４】
このように、飽差が０になるまで粒径が１０μｍ以上１００μｍ以下の水ミストが噴霧することで、図６に示すように、薬液散布領域となるハウス本体１０内を霧が立ち込めた状態にすることができる（第一工程Ｓ１０）。
【００５５】
その後、飽差が０になってから一定時間経過した後に制御部５００から水ミスト噴霧停止信号が出力されると、ポンプ２１０及びバルブ２２０等では、ミスト噴霧停止信号に基づいて、タンク３００からパイプ２００への水の供給を停止する。これにより、ミスト噴霧部１００による水ミストの噴霧が停止する。
【００５６】
このとき、本実施の形態では、上記のように、飽差が０になってから一定時間後に水ミストの噴霧を停止している。この場合、飽差が０になってから水ミストの噴霧を停止するまでの時間を調整することで、ハウス本体１０内の霧が立ち込めた状態での視程を調整することができる。例えば、飽差が０になってから水ミストの噴霧を停止するまでの時間を長くすることで、ハウス本体１０内に噴霧する水ミストの噴霧量を増加させることができる。これにより、ハウス本体１０の霧が立ち込めた状態での視程を小さくすることができる。
【００５７】
本実施の形態において、霧が立ち込めた状態は、視程が１０ｍ以下であるとよい。このように、ハウス本体１０内の霧が立ち込めた状態での視程を１０ｍ以下にすることで、数分間で植物体２の表面を濡れた状態にすることができる。つまり、視程が１０ｍ以下である状態が数分継続すると、ハウス本体１０内の植物体２の表面全体に細かい水滴が付着して濡れた状態になる。例えば、植物体２の葉の表裏全体を濡れた状態にすることができる。
【００５８】
さらに、霧が立ち込めた状態は、視程が３ｍ以下であるとよい。このように、ハウス本体１０内の霧が立ち込めた状態での視程を３ｍ以下にすることで、約１分で植物体２の表面を濡れた状態にすることができる。つまり、視程が３ｍ以下になると、約１分でハウス本体１０内の植物体２の表面全体に細かい水滴が付着して濡れた状態にすることができる。
【００５９】
次に、このようにハウス本体１０内を予め霧が立ちこめた状態にした後、ハウス本体１０（薬剤散布領域）内に薬剤を散布する（第二工程Ｓ２０）。
【００６０】
例えば、制御部５００は、水ミストの噴霧を停止する信号（水ミスト噴霧停止信号）を出力すると同時に又はその直後に、薬液ミストの噴霧を開始する信号（薬液ミスト噴霧開始信号）を出力する。これにより、図７に示すように、パイプ２００を通ってミスト噴霧部１００に薬液が供給されて、ハウス本体１０内に霧が立ちこめた状態の中でミスト噴霧部１００から薬液ミストが噴霧する。
【００６１】
具体的には、制御部５００から薬液ミスト噴霧開始信号が出力されると、ポンプ２１０及びバルブ２２０等が制御されて、ミスト噴霧開始信号に基づいて、タンク３００からパイプ２００に加圧した薬液が供給される。これにより、各ミスト噴霧部１００から薬液ミストが噴霧するので、薬液ミストに含まれる薬剤をハウス本体１０内の植物体２全体に散布することができる。
【００６２】
このように、ハウス本体１０内に霧が立ち込めた状態になっている中で薬液ミストを噴霧することで、ハウス本体１０の空中に、薬剤を含む薬液ミストを長い時間にわたって滞留させることができる。例えば、ハウス本体１０の空中に薬液ミストを数分間に渡り滞留させることができる。これにより、ハウス本体１０内の各植物体２の隅々にまで薬剤を行き渡らせることができるので、植物体２の表面全体に薬剤が付着する確率を高めることができる。この結果、繁茂している植物体２の葉裏及び成長点付近等に薬剤を付着させる確率を高めることができるので、薬剤の散布量を低減することができる。また、植物体２が繁茂している場合であっても、作業者が人為的に局所的に薬剤を散布させる必要がなく、植物体２の葉裏及び成長点付近に薬剤を簡便に付着させることができる。
【００６３】
以上、本実施の形態に係る薬剤散布方法によれば、農業用ハウス内の空間であるハウス本体１０内（薬剤散布領域内）を予め霧が立ち込めた状態にする第一工程Ｓ１０と、第一工程Ｓ１０の後、霧が立ち込めた状態で薬剤を薬剤散布領域内に散布する第二工程Ｓ２０とを含んでいる。
【００６４】
これにより、できるだけ少ない薬剤量で十分な薬剤効果を上げることができ、かつ、繁茂している植物体の葉裏及び成長点付近に簡便に薬剤を付着させることができる。また、薬剤の使用量を少なくすることにより、過剰な量の薬剤を散布することによる作業者への人体への悪影響を軽減することができるとともに環境への負荷を軽減することができる。
【００６５】
また、本実施の形態における薬剤散布方法において、第一工程Ｓ１０では、粒径が１０μｍ以上１００μｍ以下の水ミストにより霧が立ち込めた状態にしている。
【００６６】
これにより、第二工程Ｓ２０の前に、ハウス本体１０内（薬剤散布領域内）を容易に霧が立ち込めた状態にすることができる。
【００６７】
この場合、第一工程Ｓ１０では、飽差にて水ミストの噴霧を調整している。具体的には、ハウス本体１０内（薬剤散布領域内）の乾球温度及び湿球温度を測定し、乾球温度と湿球温度との乾湿球の温度差から飽差を算出し、飽差が０になるまで水ミストを噴霧している。
【００６８】
このように、飽差を管理して水ミストの噴霧を調整することで、ハウス本体１０内を容易に霧が立ち込めた状態にすることができる。
【００６９】
また、本実施の形態における薬剤散布方法では、第二工程Ｓ２０において、薬剤を含む薬液ミストを噴霧することで。薬剤散布領域内に薬剤を散布している。この場合、薬液ミストの粒径は、１０μｍ以上１００μｍ以下であるとよい。
【００７０】
薬液ミストの粒径が１００μｍを越えると、予め霧が立ち込めた状態で薬液ミストを噴霧した場合であっても、薬液ミストが短時間で落下して空中に滞留しにくくなり、植物体２に薬剤が付着する確率が大きく低下してしまうおそれがある。一方、薬液ミストの粒径が１０μｍ以下であると、ミスト噴霧部１００（ノズル）の吹出口１１０に薬液ミストが目詰まりしやすくなり、ミスト噴霧部１００を頻繁に洗浄する必要が生じる。
【００７１】
したがって、薬液ミストの粒径を１０μｍ以上１００μｍ以下にすることで、ハウス本体１０（薬剤散布領域）内の空中に長い時間に渡って薬液ミストを滞留させることができる。これにより、繁茂している植物体の葉裏及び成長点付近に一層効率良く薬剤を付着させることができる。この結果、薬剤の散布量を減らすことができる。
【００７２】
（変形例）
以上、本発明について実施の形態に基づいて説明したが、本発明は、上記実施の形態に限定されるものではない。
【００７３】
例えば、上記実施の形態では、薬剤を散布する薬剤散布領域として農業用ハウス１を例示したが、これに限らない。また、薬剤散布領域は、必ずしも閉鎖空間である必要はないが、農業用ハウス１のように閉鎖空間であるとよい。これにより、薬剤を付着させる対象物に効率良く薬剤を付着させることができる。
【００７４】
また、本実施の形態では、薬液ミストと水ミストとを同じミスト噴霧部１００を用いて噴霧したが、これに限らない。具体的には、薬液ミストを噴霧する第１ミスト噴霧部と水ミストを噴霧する第２ミスト噴霧部とを別々にしてもよい。この場合、薬液ミストを噴霧する第１ミスト噴霧部に薬液を供給する第１パイプと、水ミストを噴霧する第２ミスト噴霧部に水を供給する第２パイプとは、別々に配管される。このように、薬液ミストと水ミストとを別々のミスト噴霧部（ノズル）を用いて噴霧することにより、薬剤を散布したい必要な箇所のみに薬液ミストを噴霧することができる。これにより、より少ない薬剤量で局所的に薬液ミストを噴霧することができる。また、薬液ミストと水ミストとのミスト噴霧部を別々にすることで、薬液ミストの薬剤によって吹出口が目詰まりすることを抑制することができる。なお、上記実施の形態のように、１つのミスト噴霧部を兼用して薬液ミスト及び水ミストを噴霧する場合は、薬剤ミストの薬剤が吹出口で目詰まりしないように、ミスト噴霧部１００を定期的に洗浄するとよい。
【００７５】
また、上記実施の形態では、薬液ミストを散布する前の前処理として水ミストの噴霧を行ったが、これに限らず、空調管理を行うために水ミストの噴霧を行ってもよい。例えば、水ミストの噴霧によってハウス本体１０内の温度を管理する場合、ハウス本体１０内に設置された温度センサによって計測した温度に基づいて、ハウス本体１０内の温度が予め設定された温度（設定温度）となるように、制御部５００によってミスト噴霧部１００を制御する。具体的には、ハウス本体１０内の温度が設定温度よりも高くなった場合又は高くなりそうな場合、制御部５００によってミスト噴霧部１００から水ミストを噴霧させることで、ハウス本体１０内の温度を下げることができる。また、ハウス本体１０内の温度が予め設定された一日の温度スケジュールで推移するように、制御部５００によって水ミストの噴霧を行う時間（噴霧時間）と水ミストの噴霧を停止する時間（噴霧間隔）とを決定してミストの噴霧を行ってもよい。
【００７６】
また、上記実施の形態において、制御部５００は、ハウス本体１０内に設置されているが、これに限らない。例えば、制御部５００は、ハウス本体１０以外の場所に設置されていてもよい。この場合、農業用ハウス１は、ハウス本体１０そのものを指すのではなく、ハウス本体１０以外に設置された制御部５００を含めて、農業用システムとして構築される。また、制御部５００は、プロセッサ等ではなく、サーバであってもよい。
【００７７】
また、上記実施の形態では、植物体２を土壌に植える土耕栽培について説明したが、土壌に防根透水シート等を敷いた隔離床で植物体２を栽培する場合にも本発明を適用してもよい。
【００７８】
その他に、上記実施の形態に対して当業者が思いつく各種変形を施して得られる形態、又は、本発明の趣旨を逸脱しない範囲で上記の実施の形態における構成要素及び機能を任意に組み合わせることで実現される形態も本発明に含まれる。
【００７９】
また、上記の説明において、制御部５００は、回路であってもよい。これらの回路は、全体として１つの回路を構成してもよいし、それぞれ別々の回路でもよい。また、これらの回路は、それぞれ、汎用的な回路でもよいし、専用の回路でもよい。
【００８０】
また、制御部５００の動作として説明した処理は、コンピュータが実行してもよい。例えば、コンピュータが、プロセッサ（ＣＰＵ）、メモリ及び入出力回路等のハードウェア資源を用いてプログラムを実行することによって、上記の各処理を実行する。具体的には、プロセッサが処理対象のデータをメモリ又は入出力回路等から取得してデータを演算したり、演算結果をメモリ又は入出力回路等に出力したりすることによって、各処理を実行する。
【００８１】
また、上記の各処理を実行するためのプログラムが、コンピュータ読み取り可能なＣＤ−ＲＯＭ等の非一時的な記録媒体に記録されてもよい。この場合、コンピュータが、非一時的な記録媒体からプログラムを読み出して、プログラムを実行することにより、各処理を実行する。
【符号の説明】
【００８２】
１  農業用ハウス
５００  制御部
【図１】
2019123939.tif 000003
【図２】
2019123939.tif 000004
【図３】
2019123939.tif 000005
【図４】
2019123939.tif 000006
【図５】
2019123939.tif 000007
【図６】
2019123939.tif 000008
【図７】
2019123939.tif 000009
【国際調査報告】
2019123939.tif 000010
2019123939.tif 000011
2019123939.tif 000012